【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
式：
【化１】
2008523168.tif 000001
（式中、［Ａｘ−［Ｂ（Ｃ）］ｙ−Ｄｚ］は、ｎ回反復される共重合体複合体の単一ユニットを示し、ｎは１より大きい整数であり、単一ユニットは希土類金属を含む複合体（Ｃ）に配位した共役主鎖を含み；ｘ、ｙおよびｚは、０より大きな数であって、ｘ＝ｙ＋ｚとなり；Ａは、独立に、フルオレン、カルバゾール、オキサジアゾール、トリフェニルアミン、およびそれらの誘導体からなる群から選択され；Ｂは、安息香酸、１，３−ジフェニルプロパン−１，３−ジオン、１，１０−フェナントロリン、２，２−ビピリジン、およびそれらの誘導体からなる群から選択される官能性リガンドであり；かつ、Ｄは、独立にフルオレン、カルバゾール、オキサジアゾール、トリフェニルアミン、およびそれらの誘導体からなる群から選択される）の共重合体複合体。
【請求項２】
ランダムまたはブロック共重合体複合体である、請求項１に記載の共重合体複合体。
【請求項３】
ＤがＡと異なっている、請求項１に記載の共重合体複合体。
【請求項４】
Ａが、式：
【化２】
2008523168.tif 000002
（式中、Ｒ１およびＲ２は、同一または異なる、直鎖もしくは分枝鎖Ｃ１−２０アルキルもしくはアルコキシ基であるか、または、Ｒ１およびＲ２のうちの少なくとも一つが存在せず、Ｚは共重合体のさらなるブロックとの連結点であり、Ｅは炭素原子（Ｃ）または窒素原子（Ｎ）であり、Ｅが窒素原子の場合、Ｚは３位および６位にあり、Ｅが炭素原子の場合、Ｚは２位および７位にある）で表される、請求項１に記載の共重合体複合体。
【請求項５】
Ａがフルオロ基であり、Ｅが炭素原子であり、Ｒ１がＲ２と同一である、請求項４に記載の共重合体複合体。
【請求項６】
Ａがカルバゾール基であり、Ｅが窒素原子であり、Ｒ２が存在しない、請求項４に記載の共重合体複合体。
【請求項７】
Ｒ１およびＲ２が独立に、ｎ−ヘキシル基、２−エチルヘキシル基、ｎ−オクチル基、ｎ−デシル基、ｎ−ドデシル基、２−ヘキシルデシル基、ｎ−オクタデシルおよび対応するアルコキシル基からなる群から選択される、請求項４に記載の共重合体複合体。
【請求項８】
［Ｂ（Ｃ）］が有機複合体であり、Ｃが式：
Ｍ（Ｌ１）ａ（Ｌ２）ｂ
（式中、Ｍは希土類金属イオンであり；Ｌ１はエノラート、カルボキシレート、スルホネート、アルコキシド、またはアミドリガンドであり；Ｌ２は１，１０−フェナントロリン（ｐｈｅｎ）、２，２−ビピリジン基（ｂｐｙ）、２，６−ジ（ピリジン−３−イル）ピリジン（ｔｐｙ）、ホスフィンオキシドおよびそれらの誘導体からなる群から選択される中性リガンドであり；ａは２〜４の範囲の整数であり；かつｂは０または２である）で表される、請求項１に記載の共重合体複合体。
【請求項９】
［Ｂ（Ｃ）］が、式：
（Ｂ）Ｍ（Ｌ１）ａ
（式中、Ｍは独立した希土類イオンであり、Ｌ１はエノラート、カルボキシレート、スルホネート、アルコキシド、アミドリガンドおよびそれらの誘導体からなる群から選択され；ａは２〜４の範囲の整数である）である、請求項８に記載の共重合体複合体。
【請求項１０】
Ｂが式：
【化３】
2008523168.tif 000003
（Ｒ３、Ｒ４、およびＲ５は、水素、アルキル、パーフルオロアルキル、アルコキシ、アリールおよびアリールオキシ基からなる群から選択される独立した基であり；かつ、Ｚは共重合体のさらなるブロックとの連結点である）の１，１０−フェナントロリンまたは２，２−ビピリジン基の誘導体である、請求項８に記載の共重合体複合体。
【請求項１１】
前記アルキルまたはアルコキシ基が、直鎖、分枝鎖もしくは環状であり、炭素原子がＣ１−２０の範囲である、請求項１０に記載の共重合体複合体。
【請求項１２】
前記アルキル基が、メチル、エチル、ブチル、ヘキシル、オクチルおよびそれらの対応するパーフルオロアルキルまたはアルコキシル基からなる群から選択される、請求項１０に記載の共重合体複合体。
【請求項１３】
前記アリール基またはアリールオキシ基が、直鎖、分枝鎖もしくは環状であり、炭素原子がＣ６−２０の範囲である、請求項１０に記載の共重合体複合体。
【請求項１４】
前記アリールまたはアリールオキシ基が、フェニル、アルキルフェニル、ナフチル、フルオレニルおよび対応するアリールオキシ基からなる群から選択される、請求項１３に記載の共重合体複合体。
【請求項１５】
前記有機複合体［Ｂ（Ｃ）］が、
【化４】
2008523168.tif 000004
からなる群から選択され、Ｘは独立に、各々の場合にハロゲン化物であり；Ｍは希土類金属イオンであり；Ｌ１はエノラート、カルボキシレート、スルホネート、アルコキシド、またはアミドリガンドであり；Ｌ２は、１，１０−フェナントロリン（ｐｈｅｎ）、２，２−ビピリジン基（ｂｐｙ）、２，６−ジ（ピリジン−３−イル）ピリジン（ｔｐｙ）、ホスフィンオキシドおよびそれらの誘導体を含む群から選択される独立した中性リガンドである、請求項８に記載の共重合体複合体。
【請求項１６】
Ｍが、ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）およびルテチウム（Ｌｕ）、スカンジウム（Ｓｃ）およびイットリウム（Ｙ）からなる群から選択される希土類金属イオンである、請求項８に記載の共重合体複合体。
【請求項１７】
Ｄが次式：
【化５】
2008523168.tif 000005
のオキサジアゾールの誘導体およびトリフェニルアミンの誘導体からなる群から選択され、Ｒ８は独立に水素、アルキル、パーフルオロアルキル、アルコキシ、アリールおよびアリールオキシ基からなる群から選択され；Ｒ９は独立に水素、アルキル、アルコキシ、カルボキシアルキルまたはカルボキシアリールから選択され、Ｒ８またはＲ９はＣ１−２０であり、ｂは０〜３の範囲の整数である、請求項１に記載の共重合体複合体。
【請求項１８】
前記アルキルまたはアルコキシ基が、直鎖、分枝鎖もしくは環状であり、炭素原子がＣ１−２０の範囲である、請求項１７に記載の共重合体複合体。
【請求項１９】
【化６】
2008523168.tif 000006
からなる群から選択される有機複合体であって、Ｘは独立に、各々の場合にハロゲン化物であり；Ｍは希土類金属イオンであり；Ｌ１はエノラート、カルボキシレート、スルホネート、アルコキシド、またはアミドリガンドであるかまたは対応する陰イオンであり；Ｌ２は、１，１０−フェナントロリン（ｐｈｅｎ）、２，２−ビピリジン基（ｂｐｙ）、２，６−ジ（ピリジン−３−イル）ピリジン（ｔｐｙ）、ホスフィンオキシドおよびそれらの誘導体を含む群から選択される独立した中性リガンドである、有機複合体。
【請求項２０】
Ｍが、ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）およびルテチウム（Ｌｕ）、スカンジウム（Ｓｃ）およびイットリウム（Ｙ）を含む群から選択される希土類金属イオンである、請求項１９に記載の共重合体複合体。
【請求項２１】
式：
【化７】
2008523168.tif 000007
（式中、ｎは１より大きい整数であり、単一ユニット［Ａx−Ｂy−Ｄz］は共役主鎖を含み、ｘ、ｙおよびｚは０より大きな数であって、ｘ＝ｙ＋ｚとなり；Ａは、独立に、フルオレン、カルバゾール、オキサジアゾール、トリフェニルアミン、およびそれらの誘導体からなる群から選択され；Ｂは、安息香酸、１，３−ジフェニルプロパン−１，３−ジオン、１，１０−フェナントロリン、２，２−ビピリジン、およびそれらの誘導体からなる群から選択される官能性リガンドであり；かつ、Ｄは、独立にフルオレン、カルバゾール、オキサジアゾール、トリフェニルアミン、およびそれらの誘導体からなる群から選択される）を有するランダムまたはブロック共重合体複合体。
【請求項２２】
共役主鎖［Ａｘ−Ｂｙ−Ｄｚ］を合成するステップと、希土類イオンおよびコリガンドを含む複合体Ｃに対する主鎖のポストキレーションをするステップを含む、請求項１に記載の共重合体複合体を製造する方法。
【請求項２３】
前記共役主鎖が、スズキ反応においてジハロゲン化物とジボロナートまたはジボロン酸との反応により合成される、請求項２２に記載の方法。
【請求項２４】
前記ジボロナートまたはジボロン酸が、９，９−二置換フルオレンまたは９−置換カルバゾールの誘導体である、請求項２２に記載の方法。
【請求項２５】
前記ジハロゲン化物が、１，１０−フェナントロリン、２，２−ビピリジン、１，３，４−オキサジアゾール、トリフェニルアミン、９，９−二置換フルオレンおよび９−置換カルバゾールの誘導体である、請求項２２に記載の方法。
【請求項２６】
前記共役主鎖が、９，９−二置換フルオレンまたは９−置換カルバゾールのジテトラゾール誘導体および２，２’−ビピリジンまたは１，１０−フェナントロリンの塩化ジアシル誘導体を含むテトラゾール縮合反応によって合成される、請求項２２に記載の方法。
【請求項２７】
前記コリガンドが、β−ジケトン、安息香酸、ベンゼンスルホン酸、サリチル酸、またはピリジン−２，６−ジカルボン酸の誘導体である、請求項２２に記載の方法。
【請求項２８】
有機複合体［Ｂ（Ｃ）］を形成するステップと、該有機複合体をＡおよびＤとさらに反応させて共重合体複合体を形成するステップとを含む、請求項１に記載の共重合体複合体を製造する方法。
【請求項２９】
陰極と陽極からなる一対の電極間に少なくとも一つの発光層を含み、少なくとも一つの電極が透明または半透明であり、該発光層が請求項１に記載の共重合体複合体を含む、ポリマー発光素子。
【請求項３０】
絶縁層の一表面に隣接した半導体層と；二つの電極であって、第一の電極が供給源として働き、第二の電極がドレインとして働き、該二つの電極が半導体層に接着されている、二つの電極と；第三の電極であって、ゲートとして働き、絶縁層の別の表面に隣接して配置されている第三の電極とを含み、該半導体層が請求項１に記載の共重合体複合体を含む、電界効果トランジスタ。
【請求項３１】
請求項１に記載の共重合体複合体から製造された材料を含み、該共重合体がエルビウム、ネオジム、またはプラセオジム複合体を含む、光ファイバー増幅器。
【請求項３２】
請求項１に記載の共重合体複合体から製造された材料を含み、ポリマー材料がネオジム複合体を含む、フォトニックレーザー。
【請求項３３】
請求項１に記載の共重合体複合体から製造された材料を含む、電気光学変調器。